【事件の表示】
　特願２０１４−１６３５０８「電気光学ディスプレイを駆動するための方法」拒絶査定不服審判事件〔平成２７年　１月２９日出願公開、特開２０１５−　１８２５５、請求項の数（９）〕について、次のとおり審決する。
【結　論】
　原査定を取り消す。
　本願の発明は、特許すべきものとする。
【理　由】
第１　手続の経緯
　本願は、２０１１年４月１１日（パリ条約による優先権主張外国庁受理２０１０年４月９日、米国）を国際出願日とする特願２０１３−５０４０１６号の一部を平成２６年８月１１日に新たな特許出願としたものであって、平成２７年７月２９日付けで拒絶理由通知がされ、同年１２月２５日付けで手続補正がされ、平成２８年５月２７日付けで最後の拒絶理由通知がされ、同年１１月１７日付けで手続補正がされ、平成２９年４月２５日付けで拒絶査定（原査定）がされ、これに対し、同年９月５日に拒絶査定不服審判の請求がされると同時に手続補正がされたものである。
第２　原査定の概要
　原査定の概要は、次のとおりである。
理由２：平成２８年１１月１７日付けの手続補正で補正された特許請求の範囲の請求項１，４，６−７に係る発明は、頒布された以下の引用文献１に記載された発明であるから、特許法第２９条第１項第３号に該当し、特許を受けることができない。
理由３：平成２８年１１月１７日付けの手続補正で補正された特許請求の範囲の請求項１−９に係る発明は、以下の引用文献１に基づいて、その発明の属する技術の分野における通常の知識を有する者（以下「当業者」という。）が容易に発明できたものであるから、特許法第２９条第２項の規定により、特許を受けることができない。
引用文献等一覧
　１．特表２００８−５０８５４８号公報
第３　本願発明
　本願請求項１−９に係る発明（以下、それぞれ「本願発明１」−「本願発明９」という。）は、平成２９年９月５日付けの手続補正で補正された特許請求の範囲の請求項１−９に記載された事項により特定される発明であり、本願発明１は、以下のとおりの発明である。
　
「互いに異なる第１の駆動方式および第２の駆動方式、ならびに前記第１の駆動方式とも前記第２の駆動方式とも異なる少なくとも１つの遷移駆動方式を使用して電気光学ディスプレイを動作させる方法において、前記第１の駆動方式、前記第２の駆動方式、及び前記遷移駆動方式が、前記ディスプレイのグレーレベル間のあらゆる可能な遷移をもたらすのに十分な１組の波形であり、当該方法が、
　前記第１の駆動方式を使用して前記ディスプレイを前記第１の駆動方式の第１の画像に駆動するステップであって、前記第１の画像が、複数のグレーレベルを有する、ステップと、
　第１の遷移駆動方式を使用して前記ディスプレイを前記第１の画像とは異なる、前記第２の駆動方式の第２の画像に駆動し、前記第１の駆動方式から前記第２の駆動方式に遷移させるステップであって、前記第２の画像が、モノクローム画像である、ステップと、
　前記第２の駆動方式を使用して前記ディスプレイを前記第２の画像とは異なる、前記第２の駆動方式の第３の画像に駆動するステップと、
　第２の遷移駆動方式を使用して前記ディスプレイを前記第３の画像とは異なる、前記第１の駆動方式の第４の画像に駆動し、前記第２の駆動方式から前記第１の駆動方式に遷移させるステップと、
　前記第１の駆動方式を使用して前記ディスプレイを前記第４の画像とは異なる、前記第１の駆動方式の第５の画像に駆動するステップと
　をこの順序で含み、
　前記第１の駆動方式から前記第２の駆動方式への遷移が、前記第２の駆動方式から前記第１の駆動方式への遷移と同じ場合、前記第１及び第２の遷移駆動方式が、同じ波形セットを有しており、
　前記第１の駆動方式から前記第２の駆動方式への遷移が、前記第２の駆動方式から前記第１の駆動方式への遷移と異なる場合、前記第１及び第２の遷移駆動方式が、異なる波形を有することを特徴とする方法。」
　なお、本願発明２−９は、本願発明１を減縮する発明である。
            
第４　引用文献、引用発明等
１　原査定の拒絶の理由に引用された上記引用文献１には、図面とともに次の事項が記載されている（下線は、当審による。）。
「【０００３】
  より詳細には、電気泳動型表示装置は、交差するデータ電極と選択電極との交点に関連付けられた画素の行列を具備するマトリックス型ディスプレーである。画素の階調、又はカラー化レベルは、ある特定のレベルの駆動電圧が画素に存在する時間に依存する。駆動電圧の極性に応じて、画素の光学状態がその時の光学状態から２つの極限状況（すなわち、極限光学状態）の一方に向かって連続的に変化する。例えば、帯電粒子の１つの型が画素の頂部又は底部に近付く。例えば白黒ディスプレーの
グレイスケール等の中間光学状態は、電圧が画素に存在する時間を制御することによって得られる
「【０００７】
  この表示装置においては、中間光学状態はマイクロカプセル頂部の対極の方に移動する粒子の量を制御することによって作り出され得る。例えば、電界強度と印加時間との積として定められる正電界又は負電界のエネルギーが、マイクロカプセルの頂部に移動する粒子の量を制御する。例えば、黒色粒子及び白色粒子を用いる白黒ディスプレーにおいては、中間光学状態はしばしば“グレイ状態”又は“グレイスケール”と呼ばれている。簡単にするため、ここでは記載される実施形態に関して“グレイスケール”という用語を用いることにする。」
「【００１４】
  本発明は、表示された画像情報を読むための画質を低下させることなく、比較的高速なスクロール機能を備えた電気泳動型表示装置を提供することを目的とする。また、本発明は上記
電気泳動型表示装置の駆動方法
「【００３９】
  図３の上図は、
白色の極限光学状態から黒色の極限光学状態への画像変化のための
駆動波形
比較的長い更新時間
読み取りモードにおいては、
比較的長い更新時間ｔ
標準更新
が必要である
駆動波形は、
スクロールモードにおいて比較的短い画像更新時間ｔ
スクロール
を提供する
【００４０】
  本発明の第１の典型的な実施形態においては、
スクロールモードでは極限光学状態（例えば、白色又は黒色）と中間光学状態（例えば、灰色）との間での画像変化が用いられ
最初のスクロール要求命令を受信した際にスクロールモードに入るため、黒色状態にある画素は先ず、その後のスクロール中に白色状態から実現可能となる状態である所望のスクロール用の灰色状態（S）にされるべきである
続くスクロール命令が受信されると、白色状態と灰色状態（S）との間を切り替える（toggling）スクロールモード用の波形が使用される
スクロールが完了したとき、灰色状態（S）にある画素は先ず“復元”波形を用いて所望の黒色状態に戻されなければならず、その後、ディスプレーは標準更新モード用の波形を用いて更新されてもよい
　上記記載から、引用文献１には、次の発明（以下「引用発明」という。）が記載されていると認められる。
「白色の極限光学状態から黒色の極限光学状態への画像変化のために、比較的長い更新時間ｔ標準更新が必要である駆動波形を用いる読み取りモードと、比較的短い画像更新時間ｔスクロールを提供する駆動波形を用いるスクロールモードを使用する、グレイスケール等の中間光学状態が電圧が画素に存在する時間を制御することによって得られる電気泳動型表示装置の駆動方法であって、（【０００３】、【００１４】、【００３９】）
　スクロールモードでは極限光学状態（例えば、白色又は黒色）と中間光学状態（例えば、灰色）との間での画像変化が用いられ、
　最初のスクロール要求命令を受信した際にスクロールモードに入るため、黒色状態にある画素は先ず、その後のスクロール中に白色状態から実現可能となる状態である所望のスクロール用の灰色状態（S）にされるべきであり、続くスクロール命令が受信されると、白色状態と灰色状態（S）との間を切り替えるスクロールモード用の波形が使用され、スクロールが完了したとき、灰色状態（S）にある画素は先ず“復元”波形を用いて所望の黒色状態に戻されなければならず、その後、ディスプレーは標準更新モード用の波形を用いて更新されてもよい（【００４０】）、方法。」　
第５　対比・判断
１　本願発明１について
（１）対比
　本願発明１と引用発明を対比すると、次のことがいえる。
　ア　引用発明の「比較的長い更新時間ｔ標準更新が必要である駆動波形を用いる読み取りモード」（における駆動方式）、及び「比較的短い画像更新時間ｔスクロールを提供する駆動波形を用いるスクロールモード」（における駆動方式）は、それぞれ、本願発明１の「互いに異なる」、「第１の駆動方式」及び「第２の駆動方式」に相当する。
　イ　引用発明においては、「最初のスクロール要求命令を受信した際にスクロールモードに入るため、黒色状態にある画素は先ず、その後のスクロール中に白色状態から実現可能となる状態である所望のスクロール用の灰色状態（S）」とされ、また「スクロールが完了したとき、灰色状態（S）にある画素は先ず“復元”波形を用いて所望の黒色状態に戻され」ており、その際のそれぞれの駆動方式が本願発明１の「前記第１の駆動方式とも前記第２の駆動方式とも異なる」ものである、「第１の遷移駆動方式」及び「第２の遷移駆動方式」に対し、「第１の遷移駆動方式」及び「第２の遷移駆動方式」である点で共通するといえる。
　ウ　引用発明の「電気泳動型表示装置の駆動方法」が、本願発明１の「電気光学ディスプレイを動作させる方法」に相当する。
　エ　引用発明において、「スクロールモードに入る」前は、読み取りモードにおいてディスプレーの更新がなされているものと認められるところであり、また、引用発明は「グレイスケール等の中間光学状態が電圧が画素に存在する時間を制御することによって得られる電気泳動型表示装置の駆動方法」であるから、上記読み取りモードでのディスプレーの更新によって、複数のグレーレベルを有する画像の表示が可能であることは明らかといえる。そうすると、引用発明における、「スクロールモードに入る」直前の、読み取りモードによるディスプレーの更新を行うステップが、本願発明１の、「前記第１の駆動方式を使用して前記ディスプレイを前記第１の駆動方式の第１の画像に駆動するステップであって、前記第１の画像が、複数のグレーレベルを有する、ステップ」に相当する。
　オ　引用発明の「スクロールモード」における画像変化は、「極限光学状態（例えば、白色又は黒色）と中間光学状態（例えば、灰色）との間での画像変化」であり、これは、極限光学状態と中間光学状態という２つの状態間の画像変化であって、本願発明１の「モノクローム画像」に相当するから、本願発明１において「最初のスクロール要求命令を受信した際にスクロールモードに入るため、黒色状態にある画素は先ず、その後のスクロール中に白色状態から実現可能となる状態である所望のスクロール用の灰色状態（S）にされる」ステップは、引用発明の「第１の遷移駆動方式を使用して前記ディスプレイを前記第１の画像とは異なる、前記第２の駆動方式の第２の画像に駆動し、前記第１の駆動方式から前記第２の駆動方式に遷移させるステップであって、前記第２の画像が、モノクローム画像である、ステップ」に相当する。
　カ　引用発明において、「続くスクロール命令が受信されると、白色状態と灰色状態（S）との間を切り替えるスクロールモード用の波形が使用され」るステップは、本願発明１の「前記第２の駆動方式を使用して前記ディスプレイを前記第２の画像とは異なる、前記第２の駆動方式の第３の画像に駆動するステップ」に相当する。
　キ　引用発明において、「スクロールが完了したとき、灰色状態（S）にある画素は先ず“復元”波形を用いて所望の黒色状態に戻され」るステップは、本願発明１の「第２の遷移駆動方式を使用して前記ディスプレイを前記第３の画像とは異なる、前記第１の駆動方式の第４の画像に駆動し、前記第２の駆動方式から前記第１の駆動方式に遷移させるステップ」に相当する。
　ク　引用発明の「標準更新モード用の波形」が、「比較的長い更新時間ｔ標準更新が必要である駆動波形」と同じもの、すなわち「読み取りモード」で用いられる駆動波形を指すことは明らかであるから、その「（所望の黒色状態に戻された）後、ディスプレーは標準更新モード用の波形を用いて更新され」るステップは、本願発明１の「前記第１の駆動方式を使用して前記ディスプレイを前記第４の画像とは異なる、前記第１の駆動方式の第５の画像に駆動するステップ」に相当する。
　　  　　　
　以上のことから、本願発明１と引用発明との間には、次の一致点、相違点があるといえる。
（一致点）
「互いに異なる第１の駆動方式および第２の駆動方式、ならびに少なくとも１つの遷移駆動方式を使用して電気光学ディスプレイを動作させる方法において、当該方法が、
　前記第１の駆動方式を使用して前記ディスプレイを前記第１の駆動方式の第１の画像に駆動するステップであって、前記第１の画像が、複数のグレーレベルを有する、ステップと、
　第１の遷移駆動方式を使用して前記ディスプレイを前記第１の画像とは異なる、前記第２の駆動方式の第２の画像に駆動し、前記第１の駆動方式から前記第２の駆動方式に遷移させるステップであって、前記第２の画像が、モノクローム画像である、ステップと、
　前記第２の駆動方式を使用して前記ディスプレイを前記第２の画像とは異なる、前記第２の駆動方式の第３の画像に駆動するステップと、
　第２の遷移駆動方式を使用して前記ディスプレイを前記第３の画像とは異なる、前記第１の駆動方式の第４の画像に駆動し、前記第２の駆動方式から前記第１の駆動方式に遷移させるステップと、
　前記第１の駆動方式を使用して前記ディスプレイを前記第４の画像とは異なる、前記第１の駆動方式の第５の画像に駆動するステップと
　をこの順序で含む方法。」
（相違点）
（相違点１）本願発明１においては、「遷移駆動方式」は「前記第１の駆動方式とも前記第２の駆動方式とも異なる」とされているが、引用発明においては、それらが同一のものを含まないか否かは必ずしも明らかではない点。
（相違点２）本願発明１は、「前記第１の駆動方式、前記第２の駆動方式、及び前記遷移駆動方式が、前記ディスプレイのグレーレベル間のあらゆる可能な遷移をもたらすのに十分な１組の波形であ」るのに対し、引用発明がこのようなものであるか不明な点。
（相違点３）本願発明１は、「前記第１の駆動方式から前記第２の駆動方式への遷移が、前記第２の駆動方式から前記第１の駆動方式への遷移と同じ場合、前記第１及び第２の遷移駆動方式が、同じ波形セットを有しており、前記第１の駆動方式から前記第２の駆動方式への遷移が、前記第２の駆動方式から前記第１の駆動方式への遷移と異なる場合、前記第１及び第２の遷移駆動方式が、異なる波形を有する」というものであるのに対し、引用発明がこのようなものであるかは必ずしも明らかではない点。
（２）相違点についての判断
　ア　本願発明１の内容に鑑み、上記相違点２について検討する。
　本願発明１の「前記第１の駆動方式、前記第２の駆動方式、及び前記遷移駆動方式」は、「グレーレベル間のあらゆる可能な遷移をもたらすのに十分な１組の波形」である。
　イ　しかしながら引用発明においては、例えば、「読み取りモード」から「スクロールモード」への遷移は、「（読み取りモードの）黒色状態」を「スクロール用の灰色状態（S）」にするものであって、引用文献１には、「（読み取りモードの）黒色状態」を「（スクロール用の）白色状態」にすることの記載や示唆はなく、また「（読み取りモードの）白色状態」を「スクロール用の灰色状態（S）」にすることの記載や示唆もない。また、表示装置技術において、そのような動作制御が周知なものであるとも認められない。
　ウ　そうすると、本願発明１と引用発明とは実質的な上記相違点２を有しており、また、引用発明において、上記相違点２に係る本願発明１の発明特定事項とすることを当業者が容易に想到し得たともいえない。
　したがって、上記相違点１，３について検討するまでもなく、本願発明１は引用文献１に記載された発明であるとはいえない。また、当業者であっても、引用文献１に基づいて容易に発明できたものとはいえない。
　
２　本願発明２−９について
　本願発明２−９は、本願発明１を減縮したものであるから、本願発明１と同様の理由により、引用文献１に記載された発明であるとはいえない。また、当業者であっても、引用文献１に基づいて容易に発明できたものとはいえない。
第６　原査定について
　以上のとおりであって、本願発明１，４，６−７は、引用文献１に記載された発明であるとはいえない。また、本願発明１−９は、当業者であっても、引用文献１に基づいて容易に発明できたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。